(57)【要約】【課題】ストーマ用パウチがガスで充満し、大きく膨れ上がるためストーマ装具の身体接着面から排泄物が漏れ出す不都合が生じることがある。また、パウチ内に貯留された排泄便や排泄ガスの排出作業は、他人を意識する必要が無い状態に居る場合には問題ないが、通勤時や通学時の周りに人がたくさん居る場合では、非常に困難な状態になる。オストメイトが、充満した排泄ガスのみを他人を意識すること無しに、パウチから容易に排出処理できるようにする。【解決手段】ストーマ用パウチ内に貯留された排泄便と排泄ガスを分離する機能と、分離された排泄ガスを溜めるガス溜め部をパウチ上部に設け、そのガス溜め部に逆止弁機能を備えたガス排出筒または逆止弁機能を有しないガス排出口に逆止弁機能を備えたガス導入部を有するガス溜め袋を接続することより、パウチのガス溜め部に貯留された排泄ガスが容易に排出処理できるストーマ用パウチを提供する。【選択図】図１
2014136143.tif 000002
【特許請求の範囲】
【請求項１】
排泄物を収容するパウチを、排泄ガスと排泄便を分離するフィルターを境に上部と下部に分割し、上部をガス溜め部、下部を便溜め部とし、そのガス溜め部に逆止弁機能を有するガス排出筒を備え、そのままの状態で使用してもガス溜め部のガスが、ガス排出筒から漏洩しないが、中空棒や管をガス排出筒に挿入することにより逆止弁の閉止機能が解除され、パウチのガス溜め部のガスが排出されるストーマ用パウチス
【請求項２】
パウチの上部に排泄ガスと排泄便を分離するフィルターを介して、ガス排出口を有するガス溜め部を設け、その排出口と逆止弁機能を備えたガス導入筒付きガス溜め袋のガス導入筒を直接、または接続管を介して熱溶着接続し、更にガス溜め袋に排出管と排出開閉弁で構成部されるガス排出ホースを設けたストーマ用パウチ
【請求項３】
請求項１のストーマ用パウチに、逆止弁接続管、開閉弁および接続ホースからなる開閉弁付き接続ホースを介して逆止弁機能を備えたガス導入筒付きガス溜め袋を接続し、パウチのガス溜め部ガスをガス溜め袋に移送可能とし、更に接続ホースを取外し可能としたストーマ用パウチ
【発明の詳細な説明】
【技術分野】
【０００１】  本発明は、オストメイトが使用するストーマ用パウチである。更に詳しくは、人工肛門用パウチ内に排泄便と排泄ガスを分離し、分離された排泄ガスを貯留するガス袋に関するものである。
【背景技術】
【０００２】  従来のストーマ用パウチは、ポリエチレンなどのプラスチック製袋で、ストーマから排泄される便やガスを貯留するものである。オストメイトは排泄感覚がまったく無いため、タイミングを見て、トイレで袋下部の止め具を外し排便、ガス抜きをする。しかし、タイミングを逸するとパウチがガスで充満し、大きく膨れ上がるためパウチの身体接着面から排泄物が漏れ出す不都合が生じることがある。また、パウチ内に貯留された排泄便や排泄ガスの排出作業は、他人を意識する必要が無い状態にある場合には問題ないが、通勤時や通学時の周りに人がたくさん居る場合では、非常に困難な状態になる。オストメイトは常に袋の状態に合わせ、自分の行動を規制しなければならない問題点を抱えて生活をしている。
【先行技術文献】
【特許文献】
【０００３】
【特許文献１】実用新案登録第３１５２０４６号公報（第４頁、図１）
【特許文献２】実開昭５０−６５８１３号公報（第２頁、第図２）
【特許文献３】特開平０５−１１８４５５号公報（第５頁、図１）
【特許文献４】特開平０４−２１８１５６号公報
【発明の概要】
【発明が解決しようとする課題】
【０００４】  上述した課題を解決するために、排泄物を収容するパウチを、ガスと便を分離するフィルターを境に上部と下部に分割し、上部をガス溜め部、下部を便溜め部とし、ストーマから排泄されるガスと便を下部の便溜め部に貯留した後に、フィルターにより排泄ガスのみをガス溜め部に移送貯留する機能と、分離された排出ガスをパウチから直接排出、または別に設けたガス溜め袋に移送し、移送された排泄ガスを容易に排出処理できるストーマ用パウチを提供することにある。
【課題を解決するための手段】
【０００５】  そこで本発明は、パウチの上部に排泄便を遮断し、排泄ガスのみを通過させるフィルターを介してガス溜め部を設け、更に、そのガス溜め部にガス排出筒を取り付け、その排出筒はガス放出を閉止する逆止弁機能を具備している。パウチ内に貯留される排泄便などの排泄固形物、液体および排泄ガスのうち、排泄ガスのみをガス溜め部に溜め、そのガスはガス溜め部に設けたガス排出筒からは逆止弁機能により、パウチの使用中はガスが殆んど漏出されないパウチを提供することができる。【０００６】  更に、上述の逆止弁機能付排出筒に、中空棒やチューブなどの管を挿入することにより逆止弁の閉止機能が解除され、パウチのガス溜め部のガスを排出することができる。従って、オストメイトが、パウチ内にガスが充満し、膨れ上がった状態にあることを認識した場合には、トイレなどの排泄ガスを排出できる場所で容易にガスのみを処理することができる。【０００７】  また、パウチの上部にフィルターを介してガス溜め部を設け、そのガス溜め部にガス排出口を設け、その排出口と逆止弁機能を備えたガス導入筒付きガス溜め袋のガス導入筒を直接、または接続管を介して熱溶着接続する。更にガス溜め袋に排出管と排出開閉弁で構成されるガス排出ホースを設ける。パウチのガス溜め部を手で軽く押すことによりパウチ内のガスをガス溜め袋に容易に移送することができる。また、ガス導入筒は逆止弁機能を具備しているため、ガス溜め袋のガスが、パウチに逆流することは無い。ガス溜め袋のガスが充満したときは、排出開閉弁を開くことにより、ガスを排出処理することができる。また、接続管が何らかの原因で切断されても、ガス溜め袋内のガスが漏洩することはない。【０００８】  逆止弁機能付排出筒を備えたガス溜め部付きストーマ用パウチにおいて、開閉弁接続管、開閉弁及び接続ホースからなる開閉弁付き接続ホースを介して、パウチのガス溜め部と逆止弁機能を備えたガス導入筒付きガス溜め袋を接続および取外しが可能な構造とする。また、開閉弁を閉状態にすることにより、ガス溜め袋を取り外しても、パウチのガス溜め部内のガスが排出されることは無い。ガスを排出処理したガス溜め袋を、開閉弁付き接続ホースに再装着し、その後、開閉弁を開状態することにより、正常な使用状態に戻すことができる。
【発明の効果】
【０００９】  本発明によれば、パウチ内に貯留される便などの排泄物と排泄ガスのうち、排泄ガスのみをパウチ内のガス溜め部に貯留し、そのガスはガス溜め部に設けたガス排出筒からは逆止弁機能により、パウチの使用中は漏出のない状態で使用できるパウチを提供することができる。【００１０】  更に、パウチ内にガスが充満し、膨れ上がった状態にあることを認識した場合は、トイレなどの排泄ガスを排出できる場所で容易に排出処理することができる。【００１１】  また、パウチ内の排泄ガスを、別に設けた逆止弁機能を備えたガス導入筒付きガス溜め袋に移送することにより、パウチを長時間使用することができる。【００１２】  ガス溜め袋に移送されたガスが逆流することが無いため、パウチとガス溜め袋を接続する接続管が、何らかの原因で切断されても、ガス溜め袋内のガスが漏洩することはない。【００１３】  更に、接続ホースの途中に開閉弁を設け、ガス溜め部付きパウチと逆止弁機能付きガス溜め袋の接続および取外しが可能なため、パウチを使用状態にしたままでも、接続ホースの開閉弁を閉状態にし、逆止弁機能付きガス溜め袋を取り外しても、ガス溜め部ガスが漏洩することは無い。ガスを排出処理した逆止弁機能付きガス溜め袋を、開閉弁付き接続ホースに再装着し、開閉弁を開状態することにより、正常な使用状態に戻すことができる。【００１４】  また、パウチ内の排泄物のうち、排泄ガスのみがフィルターを介してガス溜め袋に移送貯留されるため、ガス溜め袋の内面の汚れが殆ど無くなるため、ガス溜め袋の再利用回数を増やすことが可能となる。
【図面の簡単な説明】
【００１５】
【図１】本発明の排泄便と排泄ガスを分離するフィルターと逆止弁機能付きガス排出筒を備えたパウチの平面図
【図２】図１の逆止弁機能付きガス排出筒に、中空棒やチューブを挿入し、逆止弁機能の開状態を示したパウチの平面図
【図３】パウチのガス排出口とガス溜め袋の逆止弁機能付きガス導入筒とを直接熱溶着したパウチの平面図
【図４】パウチのガス排出口と逆止弁機能付きガス溜め袋のガス導入筒を接続管で接続した平面図
【図５】逆止弁機能付き排出筒を備えたパウチと逆止弁機能付きガス導入筒を備えたガス溜め袋を接続するための開閉弁付き接続ホース
【図６】逆止弁機能付き排出筒を備えたパウチと逆止弁機能付きガス導入筒を備えたガス溜め袋を開閉弁付き接続ホースで接続した実使用状態図
【発明を実施するための形態】
【００１６】  パウチ内に貯留された排泄便と排泄ガスを分離し、排泄ガスのみを排出処理できるストーマ用パウチを提供するという目的を、フィルターを介してガス溜め部をパウチ内上部に設け、そのガス溜め部にガスの排出筒または排出口を備え、その排出筒には筒路を閉止または開放する逆止弁機能持たせ、更に、ガス排出口を有するパウチには、直接または接続管を介して、逆止弁機能付きガス導入筒を具備したガス溜め袋を接続又は取り外しを可能とすることにより実現した。
【００１７】  以下、本発明の一実施例について、図を用いて説明する。
【実施例】
【００１８】  図１は、実施形態に係る使用例を示す。ストーマ用パウチ１はポリエチレン製の袋状形態で、フィルター３により、便溜め部４ａとガス溜め部４ｂに区画されている。止め具２を取り外すことにより便溜め部４ａに貯留された排泄物を排出することができる。実用新案登録第３１５２０４６号公報には、ストーマ便回収袋をパウチの排便口に取り付け、排泄便と排泄ガスを同時に回収する方法が公報されているが、本発明はオストメイトがパウチを使用状態のまま排泄ガスのみを排出処理するものである。フィルター３は気体のみを透過させる材料からなり、特開平４−２１８１５６で公開されているもの、さらに公知の脱臭機能を持たせたものでも良い。フィルター３を通過した排泄ガスはガス溜め部４ｂに貯留される。ガス排出筒５は逆止弁機能を内蔵している。逆止弁は、実開昭５０−６５８１３号公報や特開平０５−１１８４５５号公報に示されているような簡単なフィルム製扁平筒体で機能を十分発揮することができる。ガス排出筒５から外部への漏れは殆んど無いため、排泄ガスのみをガス溜め部４ｂに貯留することができる。【００１９】  図２は、図１の逆止弁機能付きガス排出筒５に、６の中空棒やチューブなどの管を挿入することにより逆止弁機能の閉止状態が解除し、パウチ１のガス溜め部４ｂの貯留ガスを排出することができる。従って、パウチ１内にガスが充満し、膨れ上がった状態にあることを認識した場合は、トイレなどで、容易にガスのみを排出処理することができる。【００２０】  図３は、パウチ１の上部にフィルター３を介してガス溜め部４ｂを設け、そのガス溜め部４ｂにガス排出口７を設け、その排出口７と逆止弁機能を備えたガス導入筒９付きガス溜め袋８のガス導入筒９を直接、または、図４に示す接続管１３を介して熱溶着接続したものである。ガス溜め袋８には、排出管１１と排出開閉弁１２で構成されるガス排出ホース１０を設ける。パウチ１のガス溜め部４ｂを手で軽く押すことによりパウチ１内のガスをガス溜め袋８に容易に移送することができる。また、ガス導入筒９は逆止弁機能を具備しているため、ガス溜め袋８のガスが、パウチ１に逆流することは無い。ガス溜め袋８のガスが充満したときは、排出開閉弁１２を開くことにより、ガス溜め袋８内のガスを排出処理することができる。また、図４に示す接続管１３が何らかの原因で切断されても、ガス溜め袋８内のガスが漏洩することはない。【００２１】  図５は、２個の逆止弁接続管１５ａ、１５ｂと開閉弁１７及び接続ホース１６からなる開閉弁付き接続ホース１４を示す。パウチ１の逆止弁機能付きガス排出筒５やガス排出口７と、ガス溜め袋８のガス導入筒９を接続する場合に使用する。開閉弁１７は接続ホース１６の間に設けてある。逆止弁接続管１５ａ、１５ｂは、ポリエチレンフィルム製のパウチ１やガス溜め袋８に熱溶着や接着により取り付けられているガス排出筒５や、ガス排出口７の部材に挿入気密接続および取外しが可能な硬質樹脂材からなる管材である。なお、機密接続方式としては挿入方式に限定するものではなく、カップリング部材による接続も可能である。【００２２】  図６は、図５に示す開閉弁付き接続ホース１４を用いて、ガス排出筒５付きパウチ１とガス導��筒９付きガス溜め袋８を接続した実使用状態を示す。逆止弁接続管１５ａをパウチ１のガス排出筒５に挿入接続し、ガス排出筒５の逆止弁機能を開状態とする。一方、逆止弁接続管１５ｂはガス溜め袋８のガス導入筒９に接続する。この状態で、開閉弁１７を開にすれば、パウチのガス溜め部４ｂとガス溜め袋８は連通状態となり、排泄ガスをガス溜め袋８に移送することができる。また、オストマーがパウチを使用状態のままで、ガス溜め袋８を取り外すときには、開閉弁１７を閉にすることにより、パウチのガス溜め部４ｂのガスが放出されることは無い。ガスを排出処理したガス溜め袋８を逆止弁接続管１５ｂに再接続し、開閉弁１７を開状態することにより、正常な使用状態に戻すことができる。
【符号の説明】
【００２３】  １    パウチ
２    止め具
３    フィルター
４ａ  便溜め部
４ｂ  ガス溜め部
５    ガス排出筒
６    中空棒、チューブ
７    ガス排出口
８    ガス溜め袋
９    ガス導入筒
１０    ガス排出ホース
１１    排出管
１２    排出開閉弁
１３    接続管
１４    開閉弁付き接続ホース
１５ａ、１５ｂ  逆止弁接続管
１６    接続ホース
１７    開閉弁
【図１】
2014136143.tif 000003
【図２】
2014136143.tif 000004
【図３】
2014136143.tif 000005
【図４】
2014136143.tif 000006
【図５】
2014136143.tif 000007
【図６】
2014136143.tif 000008